(57)【特許請求の範囲】
【請求項１】
炊飯器、湯沸かし器等の蒸気発生器具が収納設置され前記蒸気発生器具へ電力を供給す
る電源コンセントが設けられた収納部（収納室）を備え、前記収納部（収納室）の天井部
には、前記蒸気発生器具から発生する蒸気を前記収納部（収納室）の天井面に形成した蒸
気吸い込み口から吸い込み蒸気排出ファンを通して前面の蒸気排出口から前記収納部（収
納室）外へ排出する蒸気排出通路を形成した蒸気排出装置において、前記収納部（収納室
）の天井部には、前記電源コンセントへ電力を供給する端子部が前記蒸気排出通路外に配
置され、前記端子部が、前記蒸気排出装置の上面を開口し難燃性または可燃性資材で形成
された収納凹部に配置され、前記上面開口を開閉蓋で覆ったことを特徴とする蒸気排出装
置。
【請求項２】
炊飯器、湯沸かし器等の蒸気発生器具が収納設置され前記蒸気発生器具へ電力を供給す
る電源コンセントが設けられた収納部（収納室）を機体内に形成し、前記機体の上部に前
記収納部（収納室）の天井部を形成する蒸気排出ユニットが取り付けられ、前記蒸気排出
ユニットは、上面等の外壁を形成する外殻板と前記収納部（収納室）の天井面を形成する
天井板との間に、各種ダクト及び蒸気排出ファンを備えた蒸気排出通路を形成し、前記蒸
気発生器具から発生する蒸気を前記収納部（収納室）の天井面に形成した蒸気吸い込み口
から吸い込み、前記蒸気排出通路を通して前面の蒸気排出口から排出する蒸気排出装置に
おいて、前記蒸気排出ユニットには、前記電源コンセントへ電力を供給する端子部が、前
記蒸気排出通路のダクトの上面側に配置された難燃性または可燃性資材で形成された収納
凹部に配置され、前記収納凹部は開閉蓋で覆われる状態で前記蒸気排出ユニットの上面に
開口したことを特徴とする蒸気排出装置。
【発明の詳細な説明】
【技術分野】
【０００１】
本発明は、収納部へ炊飯器、湯沸かし器等の蒸気発生を伴う器具を収納して使用するよ
うに構成した蒸気排出装置に関する。
【背景技術】
【０００２】
炊飯器、湯沸かし器が収納設置され収納部を収納棚に形成し、この収納棚の上部に収納
部の天井部を形成する蒸気排出ユニットが取り付けられ、収納部へ蒸気発生を伴う調理器
具を収納して使用するように構成した収納庫において、収納部内の左側に炊飯器、右側に
電気保温ポットが設置されて通電使用されるものがあり、収納部内の天井面の左側と右側
には、それぞれ上方へ窪んだ凹状空間があり、この左側の凹状空間には正方形環状の蒸気
吸込口が形成され、右側の凹状空間には長方形環状の蒸気吸込口が形成され、これら蒸気
吸込口の上方にはそれぞれ吸込み口８ａ、８ｂを形成した三角形状のダクトが配置され、
このダクトの前端部に単一の遠心式送風機が配置され、送風機の運転によって各蒸気吸込
口から吸い込んだ蒸気が、各吸込み口８ａ、８ｂからダクトへ吸い込まれ、前面の蒸気排
気口から排出されるものがある。（特許文献１参照）。
【特許文献１】特開２００７−１９５７６４号公報
【発明の開示】
【発明が解決しようとする課題】
【０００３】
この種の蒸気排出装置は、収納部内の背壁に設けた電源コンセントへ炊飯器と電気保温
ポットの電源プラグを差し込んで通電させるようになっており、この電源コンセントへ電
力供給する端子部は、蒸気排出ユニットの後面に露出した状態で設けられ、この端子部へ
は家屋へ供給される商用電力の配線が接続されるようになっている。このため、何らかの
要因によって、前面の蒸気排気口から排出される蒸気がこの端子部へ流れ込んだとき等に
おいては、この端子部に結露が生じ、それによって漏電が生じることが懸念される。また
、蒸気排出装置は家屋内のコーナ部や棚の下部の収納部等に設置されることが多く、端子
部が蒸気排出ユニットの後面に位置することによって、蒸気排出装置の設置時や修理点検
時等においては、蒸気排出装置全体をその設置場所から大きく引き出して、端子部の取り
外しや接続作業をしなければならず、作業性が悪い。また、蒸気排出ユニットを蒸気排出
装置から引き出し式に取り付けた構成においても、蒸気排出ユニット全体を引き出さなけ
れば、端子部の取り外しや接続作業ができない。
【０００４】
本発明は、このように端子部への結露が生じないようにすると共に、万一発火しても火
災にならないような構成にて端子部を収納し、且つ蒸気排出装置の設置時や、修理点検時
等での作業性が向上する蒸気排出装置を提供するものである。
【課題を解決するための手段】
【０００５】
第１発明の蒸気排出装置は、炊飯器、湯沸かし器等の蒸気発生器具が収納設置され前記
蒸気発生器具へ電力を供給する電源コンセントが設けられた収納部（収納室）を備え、前
記収納部（収納室）の天井部には、前記蒸気発生器具から発生する蒸気を前記収納部（収
納室）の天井面に形成した蒸気吸い込み口から吸い込み蒸気排出ファンを通して前面の蒸
気排出口から前記収納部（収納室）外へ排出する蒸気排出通路を形成した蒸気排出装置に
おいて、前記収納部（収納室）の天井部には、前記電源コンセントへ電力を供給する端子
部が前記蒸気排出通路外に配置され、前記端子部が、前記蒸気排出装置の上面を開口し難
燃性または可燃性資材で形成された収納凹部に配置され、前記上面開口を開閉蓋で覆った
ことを特徴とする。
【０００６】
第２発明は、炊飯器、湯沸かし器等の蒸気発生器具が収納設置され前記蒸気発生器具へ
電力を供給する電源コンセントが設けられた収納部（収納室）を機体内に形成し、前記機
体の上部に前記収納部（収納室）の天井部を形成する蒸気排出ユニットが取り付けられ、
前記蒸気排出ユニットは、上面等の外壁を形成する外殻板と前記収納部（収納室）の天井
面を形成する天井板との間に、各種ダクト及び蒸気排出ファンを備えた蒸気排出通路を形
成し、前記蒸気発生器具から発生する蒸気を前記収納部（収納室）の天井面に形成した蒸
気吸い込み口から吸い込み、前記蒸気排出通路を通して前面の蒸気排出口から排出する蒸
気排出装置において、前記蒸気排出ユニットには、前記電源コンセントへ電力を供給する
端子部が、前記蒸気排出通路のダクトの上面側に配置された難燃性または可燃性資材で形
成された収納凹部に配置され、前記収納凹部は開閉蓋で覆われる状態で前記蒸気排出ユニ
ットの上面に開口したことを特徴とする。
【発明の効果】
【０００７】
第１発明によって、収納部（収納室）の天井部に上面開口の難燃性または可燃性資材で
形成された収納凹部が形成され、この収納凹部に蓋で閉じられた状態で端子部が配置され
るため、従来のような端子部へ結露が生じることがなく、また万一発火しても火災になら
ないようになる。そして、上面開口から端子部の接続作業ができるため、蒸気排出装置が
家屋内のコーナ部や棚の下部の収納部等に設置される場合においても、また、蒸気排出ユ
ニットを蒸気排出装置から引き出し式に取り付けた場合でも、蒸気排出ユニット全体を引
き出さなくても、端子部の取り外しや接続作業ができることとなり、設置時や修理点検時
等での作業性が向上するものとなる。
【０００８】
また、第２発明では、収納部（収納室）を形成した機体の上部に収納部（収納室）の天
井部を形成する蒸気排出ユニットが取り付けられる構成において、蒸気排出ユニット内に
配置される蒸気排出通路のダクトの上面側に、難燃性または可燃性資材で形成された上面
開口の収納凹部を形成し、この中に端子部を配置するため、第１発明同様に、従来のよう
な端子部へ結露が生じることがなく、また万一発火しても火災にならないようになる。そ
して、上面開口から端子部の接続作業ができるため、蒸気排出装置が家屋内のコーナ部や
棚の下部の収納部等に設置される場合においても、また、蒸気排出ユニットを蒸気排出装
置から引き出し式に取り付けた場合でも、蒸気排出ユニット全体を引き出さなくても、端
子部の取り外しや接続作業ができることとなり、設置時や修理点検時等での作業性が向上
するものとなる。
【発明を実施するための最良の形態】
【０００９】
本発明の蒸気排出装置は、炊飯器、湯沸かし器等の蒸気発生器具が収納設置され前記蒸
気発生器具へ電力を供給する電源コンセントが設けられた収納部（収納室）を備え、前記
収納部（収納室）の天井部には、前記蒸気発生器具から発生する蒸気を前記収納部（収納
室）の天井面に形成した蒸気吸い込み口から吸い込み蒸気排出ファンを通して前記前面の
蒸気排出口から前記収納部（収納室）外へ排出する蒸気排出通路を形成した蒸気排出装置
において、前記収納部（収納室）の天井部には、前記電源コンセントへ電力を供給する端
子部が前記蒸気排出通路外に配置され、前記端子部が前記蒸気排出装置の上面に開口し難
燃性または可燃性資材で形成された収納凹部に配置され、前記上面開口を開閉蓋で覆った
構成であり、本発明の実施例を以下に記載する。
【実施例１】
【００１０】
本発明の実施形態について説明する。図１は本発明に係る蒸気排出装置の正面斜視図、
図２は本発明に係る蒸気排出ユニットの天板を外して蒸気排出通路部分を上方から見た斜
視図、図３は本発明に係る蒸気排出ユニットのダクト部材の構成を説明する分解斜視図、
図４は本発明に係る蒸気排出装置の右側の蒸気排出通路を説明する縦断側面図、図５は本
発明に係る蒸気排出ユニットと蒸気排出装置の機体との関係を示す斜視図である。
【００１１】
これらの図において、１は本発明の蒸気排出装置を示しており、蒸気排出装置１の機体
２は、炊飯器や湯沸かし器等の蒸気発生器具が左右に収納設置される前面開口の収納部（
収納室）３を備え、収納部（収納室）３の上部に位置するように、機体２の上部に蒸気排
出ユニットＪＵが取り付けられている。蒸気排出ユニットＪＵは、収納部（収納室）３の
天井部を形成するように機体２に取り付けらており、その前面に化粧パネル４が設けられ
ている。蒸気排出ユニットＪＵは、上面等の外壁を形成する外殻板５１と収納部（収納室
）３の天井面を形成する天井板５との間に、後述の各種ダクト及び蒸気排出ファンを備え
た蒸気排出通路ＪＨＴを形成し、収納部（収納室）３内の蒸気を収納部（収納室）３の天
井面に形成した蒸気吸い込み口から吸い込み、この蒸気排出通路ＪＨＴを通して化粧パネ
ル４に形成した蒸気排出口７から収納部（収納室）３外へ排出する構成である。
【００１２】
蒸気排出装置１の機体２は天板２Ｔを有し、蒸気排出ユニットＪＵは、機体２の左右側
壁上部に前後方向水平状態に取り付けたレールＲＬに載置されて、天板２Ｔの下側空間に
前後方向に収納引き出し可能に支持され、収納した所定状態を保持するように、レールＲ
Ｌにネジ等で固定している。この収納状態で、天井板５（蒸気排出ユニットＪＵから見れ
ば底板に相当）が、収納部（収納室）３の天井面を形成するようになる。
【００１３】
蒸気排出ユニットＪＵは、収納部（収納室）３の左側に収納設置される蒸気発生器具（
実施例では電気式湯沸かし器１１Ａ）から発生する蒸気を収納部（収納室）３の天井面を
形成する天井板５の開口５Ａに上方へ窪んで形成した第１蒸気吸い込み口６Ａから第１蒸
気吸い込みダクトＤ１を通して吸い込む第１蒸気排出ファン９Ａと、右側に収納設置され
る蒸気発生器具（実施例では電気式炊飯器１１Ｂ）から発生する蒸気を収納部（収納室）
３の天井板５の開口５Ｂに上方へ窪んで形成した第２蒸気吸い込み口６Ｂから第２蒸気吸
い込みダクトＤ２を通して吸い込む第２蒸気排出ファン９Ｂと、第１蒸気排出ファン９Ａ
と第２蒸気排出ファン９Ｂから吐出される蒸気を共通の蒸気排出ダクトＤ３を通して収納
部（収納室）３の前面上部に設けた化粧パネル４に形成した蒸気排出口７から収納部（収
納室）３外へ排出する構成である。
【００１４】
また収納部（収納室）３の壁（図では背壁面）には、電気式湯沸かし器１１Ａや電気式
炊飯器１１Ｂ等の蒸気発生器具１１の電源用として、電源コンセント１０が取り付けられ
ている。実施例では、蒸気発生器具１１として電気式湯沸かし器１１Ａと電気式炊飯器１
１Ｂとを示しており、そのため、電源コンセント１０として、左側に電気式湯沸かし器１
１Ａ用の差し込み口１０Ａが、そして右側に電気式炊飯器１１Ｂ用の差し込み口１０Ｂを
有する二口用の電源コンセント１０を採用している。
【００１５】
第１蒸気吸い込み口６Ａと第２蒸気吸い込み口６Ｂは、前後位置と左右位置が収納部（
収納室）３の中心に対して対称的な配置であってもよいが、実施例では、第１蒸気吸い込
み口６Ａが収納部（収納室）３の左側部分の天井面の奥寄りに形成され、第２蒸気吸い込
み口６Ｂが収納部（収納室）３の右側部分の天井面の中央部分に形成されている。これは
、電気式湯沸かし器１１Ｂと電気式炊飯器１１Ａは、大きさや蒸気吐出口の位置等が異な
るため、これに適合し易いことを考慮したものである。
【００１６】
第１蒸気排出ファン９Ａと第２蒸気排出ファン９Ｂは、それぞれ第１蒸気吸い込み口６
Ａと第２蒸気吸い込み口６Ｂの内側部にファン吸い込み口が位置するように同軸に配置さ
れたシロッコファンであって、両ファン９Ａ、９Ｂを共通駆動する電動機９Ｃが、第１蒸
気排出ファン９Ａと第２蒸気排出ファン９Ｂの間に配置されている。
【００１７】
収納部（収納室）３の前面上部に位置する化粧パネル４には、蒸気排出口７と操作パネ
ル１３が左右に配置され、蒸気排出ユニットＪＵにおいて、第１蒸気排出ファン９Ａから
吐出される蒸気は、第１蒸気吐出ダクトＤ４１を通って共通の蒸気排出ダクトＤ３へ流入
し、第２蒸気排出ファン９Ｂから吐出される蒸気は、第２蒸気吐出ダクトＤ４２を通って
共通の蒸気排出ダクトＤ３へ流入するように蒸気排出通路ＪＨＴが構成されている。  ま
た、第１蒸気排出ファン９Ａと第２蒸気排出ファン９Ｂは、第１蒸気吸い込み口６Ａと第
２蒸気吸い込み口６Ｂの左右間の中間部で、収納部（収納室）３の左右方向の中央部に配
置されている。
【００１８】
第１蒸気吸い込みダクトＤ１、第２蒸気吸い込みダクトＤ２、共通の蒸気排出ダクトＤ
３、第１蒸気吐出ダクトＤ４１、第２蒸気吐出ダクトＤ４２、第１蒸気排出ファン９Ａの
収納部分９Ａ１、第２蒸気排出ファン９Ｂの収納部分９Ｂ１、及び電動機９Ｃの収納部分
９Ｃ１は、これらの部分を上方に膨らみ状に形成した合成樹脂製ダクト部材ＫＢが、収納
部（収納室）３の天井面を形成する天井板５の上面に取り付けられることによって形成さ
れている。
【００１９】
第１蒸気吸い込み口６Ａが収納部（収納室）３の左側部分の天井面の奥寄りに形成され
ているため、第１蒸気排出ファン９Ａの吸い込み側ＥＴから左方向へ蒲鉾状に延長するよ
うに長く形成された第１蒸気吸い込みダクトＤ１の略下側に、第１蒸気吸い込み口６Ａが
対応して連通している。また、第２蒸気吸い込み口６Ｂが収納部（収納室）３の右側部分
の天井面の中央部分に形成されているため、第２蒸気吸い込みダクトＤ２は、第２蒸気排
出ファン９Ｂの吸い込み側ＥＴから右方向へ延長するように長く形成された蒲鉾状のダク
ト部分Ｄ２１と、これに連通して前方へ平坦状に延びたダクト部分Ｄ２２とを有し、第２
蒸気吸い込み口６Ｂがダクト部分Ｄ２２に対応して連通している。
【００２０】
ダクト部材ＫＢは、図３に示すように、第１蒸気吸い込みダクトＤ１、第２蒸気吸い込
みダクトＤ２、第１蒸気排出ファン９Ａの収納部分９Ａ１、第２蒸気排出ファン９Ｂの収
納部分９Ｂ１、及び電動機９Ｃの収納部分９Ｃ１を形成したダクト基板部材ＫＢ１と、第
１蒸気排出ファン９Ａの収納部分９Ａ１及び第２蒸気排出ファン９Ｂの収納部分９Ｂ１を
覆うカバー部Ｊを後部に形成した第１蒸気吐出ダクトＤ４１及び第２蒸気吐出ダクトＤ４
２と、共通の蒸気排出ダクトＤ３を形成した第２ダクト部材ＫＢ２が組み合わされた構成
であり、ダクト基板部材ＫＢ１の上に第２ダクト部材ＫＢ２が組み合わされることによっ
て、第１蒸気吸い込みダクトＤ１及び第２蒸気吸い込みダクトＤ２を通って第１蒸気排出
ファン９Ａと第２蒸気排出ファン９Ｂへ吸い込まれた蒸気が、第１蒸気吐出ダクトＤ４１
及び第２蒸気吐出ダクトＤ４２から共通の蒸気排出ダクトＤ３と通って、蒸気排出口７か
ら前方へ排出される蒸気排出通路ＪＨＴが形成されている。なお、電動機９Ｃの収納部分
９Ｃ１は、排出される蒸気に触れないようにするために、蒸気排出通路ＪＨＴの外側にな
るように、ダクト部材ＫＢの上面に開口した状態に形成される。
【００２１】
化粧パネル４の後部にはマイクロコンピュータ式の制御部１２が収納され、化粧パネル
４の前面には操作パネル１３があり、操作パネル１３には、蒸気排出装置１の電源の入／
切（ＯＮ／ＯＦＦ）スイッチ部１４とその他の操作スイッチや表示部が配置され、それぞ
れ制御部１２に電気的に接続され、蒸気排出ファン９Ａ、９Ｂも制御部１２に電気的に接
続されている。二口用の電源コンセント１０は、差し込み口１０Ａが湯沸かし器１１Ａ用
であり、差し込み口１０Ｂが炊飯器１１Ｂ用として、ラベル等で表示されている。
【００２２】
電源プラグ２５Ｂを家屋内のコンセントに差し込んだ状態で、蒸気排出装置１に電源が
供給された状態となり、電源コンセント１０へ電力が供給された状態である。この状態で
、電源コンセント１０の差し込み口１０Ａへ湯沸かし器１１Ａの電源プラグを差し込むか
、差し込み口１０Ｂへ炊飯器１１Ｂの電源プラグを差し込み、またはその両方を差し込む
。この状態で、電源の入／切（ＯＮ／ＯＦＦ）スイッチ部１４を押す操作によって、その
スイッチがＯＮしてその信号が制御部１２へ入力され、制御部１２の動作によって電動機
９Ｃが運転して蒸気排出ファン９Ａ、９Ｂが始動して高速運転状態となる。多くの蒸気発
生となる湯沸かし器１１Ａの沸き上げ終了及びまたは炊飯器１１Ｂの炊き上げ終了まで、
制御部１２の動作によってこの状態が継続する。そして、制御部１２の動作によって湯沸
かし器１１Ａの沸き上げ終了及びまたは炊飯器１１Ｂの炊き上げ終了となり保温状態にな
ったとき、電源コンセント１０の電力が低下するため、制御部１２がこの状態を検出して
、電動機９Ｃによる蒸気排出ファン９Ａ、９Ｂの回転を低速回転状態に切り替える。この
低速回転状態を所定時間継続した後、電動機９Ｃの運転を停止して蒸気排出ファン９Ａ、
９Ｂの運転を停止する。
【００２３】
このような蒸気排出ファン９Ａ、９Ｂの動作において、第１蒸気吸い込み口６Ａ及びま
たは第２蒸気吸い込み口６Ｂから吸い込まれた蒸気は、それぞれ第１蒸気吐出ダクトＤ４
１、第２蒸気吐出ダクトＤ４２を通って共通の蒸気排出ダクトＤ３へ流入し、蒸気排出口
７から前方へ排出される。
【００２４】
このような蒸気排出装置１において、蒸気排出ユニットＪＵは、収納部（収納室）３の
天井部には、蒸気排出ファン９Ａ、９Ｂの運転を制御する制御部１２と、電源コンセント
の差し込み口１０Ａ、１０Ｂへ電力を供給する端子部ＴＴ（図ではＴ１、Ｔ２、Ｔ３で構
成）が、蒸気排出通路ＪＨＴ外に配置され、端子部ＴＴが難燃性または可燃性資材で形成
された上面開口の収納凹部ＴＳに配置され、収納凹部ＴＳの上面開口は、後述のように作
業用開口５３に設けた開閉蓋５２で覆っている。端子部ＴＴは、家屋へ供給される商用電
力が、電源プラグ２５Ｂから端子Ｔ１へ供給されるか、または家屋内の配電盤にリード線
ＲＳを通して接続される。そして、端子Ｔ１からの電力供給は、それぞれ並列接続した端
子Ｔ２、Ｔ３を通して行われる。端子Ｔ２は電源コンセントの差し込み口１０Ａへ接続さ
れ、端子Ｔ３は電源コンセントの差し込み口１０Ｂへ接続されている。制御部１２の電源
供給は、端子Ｔ２、Ｔ３のいずれかから供給されればよい。
【００２５】
具体的には、ダクト基板部材ＫＢ１と第２ダクト部材ＫＢ２は、それぞれ難燃性または
可燃性資材で形成され、これらは、例えばポリプロピレンで所定形状に成形されたものが
組み合わされてダクト部材ＫＢを構成している。このダクト部材ＫＢは、ダクト基板部材
ＫＢ１に形成された第２蒸気吸い込みダクトＤ２の平坦状ダクト部分Ｄ２２の上面に一体
成形によって、端子部ＴＴ（図ではＴ１、Ｔ２、Ｔ３で構成）の上面開口状の収納凹部Ｔ
Ｓが形成されている。収納凹部ＴＳは、蒲鉾状のダクト部分Ｄ２１に連続する矩形状の立
ち壁ＴＳ１によって囲まれた上面開口形状であり、蒸気排出ユニットＪＵの上面等の外壁
を形成する外殻板５１とダクト基板部材ＫＢ１の間に位置する。
【００２６】
収納凹部ＴＳの上面開口は、この開口と略同じ大きさに外殻板５１に形成した作業用開
口５３に臨むように、収納凹部ＴＳの上面開口端部は外殻板５１の下面に近接状態である
。作業用開口５３には、収納凹部ＴＳの上面開口を覆って実質開閉する開閉蓋５２が設け
られ、蒸気排出装置１の設置後は、閉じた状態である。図示の開閉蓋５２は、後端部がヒ
ンジで支持されて開閉可能であるが、収納凹部ＴＳの上面開口を開閉する機能があればよ
く、例えば、取り外し可能な蓋５２であっても差し支えなく、またスライド式蓋５２であ
っても差し支えなく、いずれも本発明の開閉蓋５２に含まれる。
【００２７】
収納凹部ＴＳに収納され、ネジなどによって支持された端子部ＴＴ（図ではＴ１）へは
、家屋へ供給される商用電力が電源プラグ２５Ｂに接続したリード線ＲＳを通して供給さ
れるか、または家屋内の配電盤にリード線ＲＳを通して接続される。このリード線ＲＳが
外殻板５１の後壁５１Ｒを貫通する箇所は、弾性ゴム等の電気絶縁材５４によってシール
された状態である。
【００２８】
このような構成によって、従来のように蒸気排出ユニットＪＵの後面に露出した状態で
設けられた端子部の構成によって生じた端子部への結露の問題もなく、また万一発火して
も火災にならない。そして、蒸気排出ユニットＪＵの上面から端子部ＴＴの接続作業がで
きるため、蒸気排出装置１が家屋内のコーナ部や棚の下部の収納部等に設置される場合に
おいても、設置時や修理点検時等での作業性が向上するものとなる。
【産業上の利用可能性】
【００２９】
本発明は、上記実施例に示した構成に限定されず、種々の形態の蒸気排出装置に適用で
きるものであり、本発明の技術範囲において種々の形態を包含するものである。
【図面の簡単な説明】
【００３０】
【図１】本発明に係る蒸気排出装置の正面斜視図である。（実施例１）
【図２】本発明に係る蒸気排出ユニットの天板を外して蒸気排出通路部分を上方から見た斜視図である。（実施例１）
【図３】本発明に係る蒸気排出ユニットのダクト部材の構成を説明する分解斜視図である。（実施例１）
【図４】本発明に係る蒸気排出装置の右側の蒸気排出通路を説明する縦断側面図である。（実施例１）
【図５】本発明に係る蒸気排出ユニットと蒸気排出装置の機体との関係を示す斜視図である。（実施例１）
【符号の説明】
【００３１】
１・・・・・蒸気排出装置
２・・・・・蒸気排出装置の機体
３・・・・・収納部（収納室）
４・・・・・化粧パネル
５・・・・・天井板
６Ａ、６Ｂ・・・・・蒸気吸い込み口
７・・・・・蒸気排出口
９Ａ・・・・第１蒸気排出ファン
９Ｂ・・・・第２蒸気排出ファン
９Ｃ・・・・電動機
９Ａ１・・・第１蒸気排出ファンの収納部
９Ｂ１・・・第２蒸気排出ファンの収納部
９Ｃ１・・・電動機の収納部
１０・・・・電源コンセント
１０Ａ・・・湯沸かし器用の差し込み口
１０Ｂ・・・炊飯器用用の差し込み口
１１Ａ・・・湯沸かし器
１１Ｂ・・・炊飯器
１２・・・・制御部
１３・・・・操作パネル
１４・・・・電源の入／切（ＯＮ／ＯＦＦ）スイッチ部
２５Ｂ・・・電源プラグ
５１・・・・外殻板
５２・・・・開閉蓋
５３・・・・作業用開口
Ｄ１・・・・第１蒸気吸い込みダクト
Ｄ２・・・・第２蒸気吸い込みダクト
Ｄ３・・・・共通の蒸気排出ダクト
Ｄ４１・・・第１蒸気吐出ダクト
Ｄ４２・・・第２蒸気吐出ダクト
ＪＵ・・・・蒸気排出ユニット
ＪＨＴ・・・蒸気排出通路
ＫＢ・・・・ダクト部材
ＫＢ１・・・ダクト基板部材
ＫＢ２・・・第２ダクト部材
ＲＬ・・・・左右のレール
ＲＳ・・・・リード線
ＴＳ・・・・収納凹部
ＴＴ・・・・端子部
【図１】
0005064954.tif 000002
【図２】
0005064954.tif 000003
【図３】
0005064954.tif 000004
【図４】
0005064954.tif 000005
【図５】
0005064954.tif 000006